(57)【特許請求の範囲】
【請求項１】
主ビームと、主ビームの底面にスライド可能に並設され、互いに対向して逆方向にスライドする２個のスライドビームを備え、前記スライドビームは、上下に２本設けられた上部角パイプと下部角パイプと、前記上部角パイプと下部角パイプの対向側面と他方の側面を連結する対向側板と外側側板を有し、前記対向側板から下方に突出した突出部にスライドビームの伸縮ピッチ幅と合致したフック取付け穴を設け、前記主ビーム内で対向する対向側板の前記フック取付け穴にフックを係着することで、スライドビームの伸縮長を調節することを特徴とする伸縮ビーム吊り具装置。
【請求項２】
主ビームは、端部にスライドビーム側面に摺接するガイドローラーとスベリ軸受けと、前記ビームの上面及び下面に摺接するスベリ軸受けを有し、前記スライドビームは、主ビームに内接する側の端部に、主ビームの内側上面に摺接するガイドローラーと内側下面に摺接するスベリ軸受けと、主ビームの内側側面に摺接するガイドローラーと他方のスライドビームの対向側板に摺接するガイドローラーを有することを特徴とする請求項１記載の伸縮ビーム吊り具装置。
【請求項３】
スライドビームは、スライドビームの伸縮ピッチ幅に合致した間隔で設けた挿通孔を有し、前記挿通孔を主ビームに設けた固定ピン挿通孔に合致させ、固定ピンを前記挿通孔に嵌挿し、主ビームとスライドビームを固定したことを特徴とする請求項１または２に記載の伸縮ビーム吊り具装置。
【発明の詳細な説明】
【技術分野】
【０００１】
本発明は、クレーンで、建築資材等の運搬に使用される伸縮ビームを備えた伸縮ビーム吊り具装置に関する。
【背景技術】
【０００２】
伸縮ビームを備えた吊り具装置として、長さが異なる３個の伸縮ブーム（ビーム）を備え、各ブームを伸縮するためにブームにローラーが内設され、各ローラーの下部にクランプを設けた吊り具装置が公知である。（特許文献１参照）
【特許文献１】特開平８−１８９１９６号公報
【発明の開示】
【発明が解決しようとする課題】
【０００３】
前記特許文献１に記載された吊り具では、伸縮ビームの両端のクランプは固定され、その他のクランプはローラーの下部に設けられており、並設された長さの異なる３個のビームを伸縮することで、クランプを等間隔で伸縮する構造となっており、ローラーは隣接するビームの下部側板を転動するため、伸縮ビーム間にはビームを構成する側板の厚さ分だけ段差があり、そのため伸縮されるビーム間にはクランプの高さに寸法の差が生ずるという課題を有していた。
【０００４】
また、スライドビームの伸縮作業時に、ローラーが他のビームに乗り移る際には、ビームの段差によりガタが生じ、円滑なビームの伸縮作業の支障になり、また、スライドビームの左右方向及び上下方向の位置を固定する手段がないので、スライドビーム間に緩みが生じ、さらに、クランプ位置がビームの段差の部分になった場合にはクランプ位置が安定しないという課題を有していた。
【課題を解決するための手段】
【０００５】
本発明の前記課題を解決するもので、主ビームと、主ビームの底面にスライド可能に並設され、互いに対向して逆方向にスライドする２個のスライドビームを備え、前記スライドビームは、上下に２本設けられた上部角パイプと下部角パイプと、前記上部角パイプと下部角パイプの対向側面と他方の側面を連結する対向側板と外側側板を有し、前記対向側板から下方に突出した突出部にスライドビームの伸縮ピッチ幅と合致したフック取付け穴を設け、前記主ビーム内で対向する対向側板の前記フック取付け穴にフックを係着することで、スライドビームの伸縮長を調節することを特徴とする。
【０００７】
また、主ビームは、端部にスライドビーム側面に摺接するガイドローラーとスベリ軸受けと、前記ビームの上面及び下面に摺接するスベリ軸受けを有し、スライドビームは、主ビームに常時内接する側の端部に、主ビームの内側上面に摺接するガイドローラーと内側下面に摺接するスベリ軸受けと、主ビームの内側側面に摺接するガイドローラーと他方のスライドビームの側面に摺接するガイドローラーを有することを特徴とする。
【０００８】
また、スライドビームは、スライドビームの伸縮ピッチ幅に合致した間隔で設けた挿通孔を有し、前記挿通孔を主ビームに設けた固定ピン挿通孔に合致させ、固定ピンを前記挿通孔に嵌挿し、主ビームとスライドビームを固定したことを特徴とする。
【発明の効果】
【０００９】
本発明によると、主ビームと、主ビームの底面にスライド可能に並設され、互いに対向して逆方向にスライドする２個のスライドビームを備え、前記スライドビームは、上下に２本設けられた上部角パイプと下部角パイプと、前記上部角パイプと下部角パイプの対向側面と他方の側面を連結する対向側板と外側側板を有し、前記対向側板から下方に突出した突出部にスライドビームの伸縮ピッチ幅と合致したフック取付け穴を設け、前記主ビーム内で対向する対向側板の前記フック取付け穴にフックを係着する構成とすることで、スライドビームは主ビームの底面にスライド可能に並設で、かつ、フック取付け穴はスライドビームの下部に設けられているため、各スライドビームのフック取付位置に高さ寸法の差はなく、正確に吊り具によって被搬送物を吊り上げまたは吊り下げて搬送することができ、また、両スライドビームの伸縮動作時においてガタが生ぜず、また、スライドビームの伸縮ピッチとフック取り付け穴のピッチ間隔が同じであるため、両スライドビームを並列した状態で、フック取り付け穴を合致してフックを取り付けることで、両スライドビームをより確実に固定することができる。
【００１０】
また、スライドビームは、角パイプの一方の側面に固着される対向側板と他方の側面に固着される外側側板を有し、対向側板は、他方のスライドビームの対向側板と対向し、主ビームから下方に突出し、フック取付け穴を設けた突出部を有し、両スライドビームの対向側板のフック取付け穴を合致させ、フック取付け穴にフックを係着する構成とすることで、より確実にスライドビームの位置を固定することができる。
【００１１】
また、主ビームは、端部にスライドビーム側面に摺接するガイドローラーとスベリ軸受けと、前記ビームの上面及び下面に摺接するスベリ軸受けを有し、スライドビームは、主ビームに常時内接する側の端部に、主ビームの内側上面に摺接するガイドローラーと内側下面に摺接するスベリ軸受けと、主ビームの内側側面に摺接するガイドローラーと他方のスライドビームの側面に摺接するガイドローラーを有する構成とすることで、スライドビームは主ビームの端部とスライドビームの主ビームに内接する側の端部で、ガイドローラーとスベリ軸受けを介して左右方向及び上下方向の位置が固定されるので、スライドビームと主ビーム間及びスライドビーム間における緩みや揺れの発生が防止されるため、正確かつ円滑にスライドビームの伸縮動作及び吊り具による吊り荷の搬送作業を行うことができる。
【００１２】
また、スライドビームは、スライドビームの伸縮ピッチ幅に合致した間隔で設けた挿通孔を有し、前記挿通孔を主ビームに設けた固定ピン挿通孔に合致させ、固定ピンを前記挿通孔に嵌挿し、主ビームとスライドビームを固定した構成とすることで、簡単かつ確実にスライドビームの伸縮ピッチ幅を調節でき、伸縮位置を固定することができる。
【図面の簡単な説明】
【００１３】
【図１】（ａ）本発明の吊り具装置の要部側面図。（ｂ）スライドビームの端部正面図。
【図２】図１の平面図。
【図３】（ａ）スライドビームの対向側板要部側面図、（ｂ）内側端部の正面図。
【図４】図１の主ビームの端部正面図。
【図５】図1の主ビームの中央部正面図。
【図６（ａ）】本発明の吊り具装置のスライドビーム収納時の側面断面図。
【図６（ｂ）】本発明の吊り具装置のスライドビーム収納時の平面断面図。
【図７（ａ）】本発明の吊り具装置のスライドビーム伸長時の側面断面図。
【図７（ｂ）】本発明の吊り具装置のスライドビーム伸長時の平面断面図。
【図８】主ビームとスライドビームの伸縮状態説明図。
【発明を実施するための形態】
【００１４】
以下、本発明を実施するための形態について説明する。
【００１５】
１は主ビーム、２ａ、２ｂは主ビーム１の底面上で互いに逆方向にスライド可能に並設された２本のスライドビームで、スライドビーム２ａ、２ｂの長さは、図６に示すように、収縮時に主ビーム１内に収納できるよう主ビーム１の長さと略同一長さである。３ａ、３ｂは縦方向に上下２本設けられた角形パイプで、上部角形パイプ３ａと下部角形パイプ３ｂの一方の側面には対向側板４が、他方の側面には外側側板５が固着され、上下２個の角形パイプ３ａ、３ｂを強固に連結され、スライドビーム２ａ、２ｂを構成する。角形パイプを断面長方形の1個とし、外側側板を省略することも可能である。両スライドビーム２ａ、２ｂの対向側板４は主ビーム１内において互いに対向しており、下部には主ビーム１に設けたガイド溝１ａから下方に突出する突出部４ａを有し、突出部４ａには等間隔で偶数分割で設けられたフック取付け穴６が設けられている。フック取付け穴６はフック７を係着するとともに、主ビーム１内で対向する対向側板４のフック取付け穴６を合致してフック７を係着することで、スライドビーム２ａ、２ｂの伸縮長を調節し固定することができる。
８ａ、８ｂは主ビーム１の端部内側側面に設けられた２個のブラケット９ａ、９ｂに軸着され、上下２個所で前記対向側板４に外接し転動するガイドローラー、１０は主ビーム１の端部内側側面に設けられ、前記外側側板５に摺接するスベリ軸受けで、ガイドローラー８ａ、８ｂとスベリ軸受け１０で、主ビーム１の端部において、スライドビーム２ａ、２ｂを両側面から挾んでガイドし、スライドビーム２ａ、２ｂの左右位置を固定する。１１ａ、１１ｂは主ビーム１の端部内側の上面と下面に設けられ、上部角形パイプ３ａの上面と下部角形パイプ３ｂの下面に摺接するスベリ軸受けで、両スベリ軸受１１ａ、１１ｂで主ビーム１の端部において、スライドビーム２ａ、２ｂを上下面から挾んでガイドし、スライドビーム２ａ、２ｂの上下位置が固定される。スライドビーム２ａ、２ｂは主ビーム１の端部において、左右両側及び上下位置が固定され、左右及び上下方向の緩みの発生が防止される。
【００１６】
１２ａ、１２ｂは２本の角形パイプ３ａ、３ｂの主ビーム１に常時内接する側の端部に固設されたガイドローラー取付けブラケット１３ａ、１３ｂに取設され、主ビーム１の内側側面に内接して転動するガイドローラー、１４ａ、１４ｂは前記ガイドローラー取付けブラケット１３ａ、１３ｂに取設され、対向する他方のスライドビーム２ａまたは２ｂの対向側板４に外接して転動するガイドローラー、１５は上部角形パイプ３ａの主ビーム１に常時内接する側の上端部に固設されたガイドローラー取付けブラケット１６の上部に取設され、主ビーム１の内側上面に内接して転動するガイドローラー、１７は下部角形パイプ３ｂの下面に固設され、主ビーム１の内側下面に摺接するスベリ軸受けである。スライドビーム２ａ、２ｂは、主ビーム１に常時内接する側の端部において、主ビーム１の内側側面に内接するガイドローラー１２ａ、１２ｂと対向する他方のスライドビーム２ａまたは２ｂの対向側板４に外接するガイドローラー１４ａ、１４ｂでスライドビーム２ａ、２ｂの左右両側がガイドされ、スライドビーム２ａ、２ｂの左右位置が固定される。また、主ビーム１の内側上面に内接するガイドローラー１５と下部角形パイプ３ｂの下面に固設され、主ビーム１の内側下面に摺接するスベリ軸受け１７でスライドビーム２ａ、２ｂの上下方向がガイドされ、上下位置が固定される。
【００１７】
スライドビーム２ａ、２ｂは主ビーム１に常時内接する側の端部において、主ビーム１の内側側面に内接するガイドローラー１２ａ、１２ｂと対向する他方のスライドビームの対向側板４に外接するガイドローラー１４ａ、１４ｂで左右両側がガイドされ、主ビーム１の内側上面に内接するガイドローラー１５と主ビーム１の内側下面に摺接するスベリ軸受け１７で上下方向がガイドされる。スライドビーム２ａ、２ｂは主ビーム１に常時内接する側の端部において、左右両側及び上下位置が固定され、左右及び上下方向の緩みの発生が防止される。
【００１８】
前記した通り、本発明によると、スライドビーム２ａ、２ｂは、主ビーム1の端部及び主ビーム１に常時内接する側の端部において、左右方向及び上下方向の位置が固定され、スライドビーム２ａ、２ｂの伸縮動作時及び作業時におけるスライドビームと主ビーム間及びスライドビーム２ａ、２ｂ間における緩みの発生が防止される。
【００１９】
１８ａ、１８ｂは上部角形パイプ３ａの上面及び下部角形パイプ３ｂの下面に固設され、主ビーム１の内側上面及び下面に摺接するスベリ軸受け、１９ａは主ビーム１の中央部に設けた固定ピン挿通孔、１９ｂはスライドビーム２ａ、２ｂに設けたフック取付け穴６に合致した間隔で設けられた固定ピン挿通孔、２０は挿通孔１９に嵌挿され、主ビーム１とスライドビーム２ａ、２ｂを固定する固定ピン、２１は吊金具である。
【００２０】
スライドビームの長さを調節して固定する際は、吊り上げる部材の大きさに応じて、スライドビーム２ａ、２ｂの伸縮ピッチ幅を調節して、スライドビーム２ａ、２ｂのフック取付け穴６を合わせて、主ビーム１の固定ピン挿通孔１９ａとスライドビーム２ａ、２ｂの固定ピン挿通孔１９ｂを合致させ、固定ピン挿通孔１９ａ、１９ｂに固定ピン２０を嵌挿することで主ビーム１とスライドビーム２ａ、２ｂを固定する。吊り上げ作業が終了後は、固定ピン２０を抜いてスライドビーム２ａ、２ｂを主ビーム１内にスライドして収納する。
【符号の説明】
【００２１】
１    主ビーム
１ａ    ガイド溝
２ａ、２ｂ    スライドビーム
３ａ    上部角形パイプ
３ｂ    下部角形パイプ
４    対向側板
４ａ    突出部
５    外側側板
６    フック取付け穴
７    フック
８ａ、８ｂ    ガイドローラー
９ａ、９ｂ    ガイドローラー取付けブラケット
１０    スベリ軸受け
１１ａ、１１ｂ    スベリ軸受け
１２ａ、１２ｂ    ガイドローラー
１３ａ、１３ｂ    ガイドローラー取付けブラケット
１４ａ、１４ｂ    ガイドローラー
１５    ガイドローラー
１６    ガイドローラー取付けブラケット
１７    スベリ軸受け
１８ａ、１８ｂ    スベリ軸受け
１９ａ、１９ｂ    固定ピン挿通孔
２０    固定ピン
２１    吊金具
【図１】
0005501050.tif 000002
【図２】
0005501050.tif 000003
【図３】
0005501050.tif 000004
【図４】
0005501050.tif 000005
【図５】
0005501050.tif 000006
【図６（ａ）】
0005501050.tif 000007
【図６（ｂ）】
0005501050.tif 000008
【図７（ａ）】
0005501050.tif 000009
【図７（ｂ）】
0005501050.tif 000010
【図８】
0005501050.tif 000011